(57)【要約】【課題】  熱交換器のタンクのドレンパイプからドレンコックを引き抜いたとき、液体が作業者の手や指に飛散しないようにすること。【解決手段】  コック本体３の端部に環状溝５を介して筒状部６を形成し、その環状溝５の深さを十分深くし、ドレンコック１５を外したとき、ドレンパイプ２の先端からの液体９を環状溝５に一旦収納して、その開口から下方に流出させる。【選択図】        図３
2016223644.tif 000002
【特許請求の範囲】
【請求項１】
熱交換器のタンク(1)の外面に突設されるドレンパイプ(2)に対して、その開口の内面に着脱自在に螺着される熱交換器のドレンコックにおいて、
ドレンパイプ(2)の内部に挿入される棒状のコック本体(3)と、その本体(3)の一端部に形成され直径が前記ドレンパイプ(2)の外直径より大に拡大する同芯の段付き端部(4)と、その段付き端部(4)の前記コック本体(3)側の端面(3a)に形成され、外側の内径D1が前記ドレンパイプ(2)の端部外周に整合すると共に、内側の内径D2がドレンパイプ(2)の内径に整合する有底の環状溝(5)を形成して、その環状溝(5)の外側に設けられた筒状部(6)と、を具備し、
その筒状部(6)内の環状溝(5)の深さは、コック本体(3)と前記ドレンパイプ(2)との前記螺着が外れる位置で、ドレンパイプ(2)の先端から軸線方向外方に流出する液体を一旦収納するのに十分な深さであるように構成したことを特徴とする熱交換器のドレンコック。
【請求項２】
請求項１に記載の熱交換器のドレンコックにおいて、
ドレンパイプ(2)の開口端部の内面に雌ネジ(7)が形成され、その雌ネジ(7)に螺着される雄ネジ(8)が、前記コック本体(3)の端部で前記環状溝(5)の内部に形成され、両ネジが螺着されたとき、前記筒状部(6)がドレンパイプ(2)の端部外周を被嵌するように形成した熱交換器のドレンコック。
【発明の詳細な説明】
【技術分野】
【０００１】
本発明は、主としてラジエータタンクの下端に設けたドレンコックに関する。
【背景技術】
【０００２】
エンジン冷却水冷却用ラジエータのタンク下端にはドレンパイプが突設され、その開口端にドレンコックが挿脱自在に螺着されている。
図４は従来技術の一例であり、同図に示す如く、ドレンパイプ２の開口端には雌ネジ７が形成され、それにコック本体３の雄ネジ８が螺着される。このドレンコック１５は、端部に摘まみ部１０が形成され、その摘まみ部１０（側面十字状）を螺回することにより、コック本体３がドレンパイプ２から外れて、タンク内の液体９がドレンパイプ２のドレン孔１４から下部に流出する。
【先行技術文献】
【特許文献】
【０００３】
【特許文献１】特開２００３−８３６９６号公報
【特許文献２】特開平１１−３３７２９１号公報
【発明の概要】
【発明が解決しようとする課題】
【０００４】
ところが、ドレンコック１５をドレンパイプ２から外すと、液体９はドレン孔１４のみならず、ドレンパイプ２の開口端からも流出し、摘まみ部１０を把持する作業者の手や指に飛散して、作業者に不快な思いをさせる。
そこで本発明は、ドレンコックの取り外し時にドレンパイプ２の開口端から流出する液体９が、作業者の手や指に飛散しないようにした熱交換器のドレンコックを提供することを課題とする。
【課題を解決するための手段】
【０００５】
請求項１に記載の本発明は、熱交換器のタンク(1)の外面に突設されるドレンパイプ(2)に対して、その開口の内面に着脱自在に螺着される熱交換器のドレンコックにおいて、
ドレンパイプ(2)の開口の内部に挿入される棒状のコック本体(3)と、その本体(3)の一端部に形成され直径が前記ドレンパイプ(2)の外直径より大に拡大する同芯の段付き端部(4)と、その段付き端部(4)の前記コック本体(3)側の端面(3a)に形成され、外側の内径D1が前記ドレンパイプ(2)の端部外周に整合すると共に、内側の内径D2がドレンパイプ(2)の内径に整合する有底の環状溝(5)を形成して、その環状溝(5)の外側に設けられた筒状部(6)と、を具備し、
その筒状部(6)内の環状溝(5)の深さは、コック本体(3)と前記ドレンパイプ(2)との前記螺着が外れる位置で、ドレンパイプ(2)の先端から軸線方向外方に流出する液体を一旦収納するのに十分な深さであるように構成したことを特徴とする熱交換器のドレンコックである。
【０００６】
請求項２に記載の本発明は、請求項１に記載の熱交換器のドレンコックにおいて、
ドレンパイプ(2)の開口端部の内面に雌ネジ(7)が形成され、その雌ネジ(7)に螺着される雄ネジ(8)が、前記コック本体(3)の端部で前記環状溝(5)の内部に形成され、両ネジが螺着されたとき、前記筒状部(6)がドレンパイプ(2)の端部外周を被嵌するように形成した熱交換器のドレンコックである。
【発明の効果】
【０００７】
本発明は、コック本体(3)の端部に筒状部(6)が形成され、その内部の環状溝(5)の深さが、コック本体(3)とドレンパイプ(2)との螺着が外れる位置で、ドレンパイプ(2)の先端から流出する液体を一旦収納するのに十分な深さであるように構成したものである。従って、コック本体(3)が外れたとき、ドレンパイプ(2)から軸線方向の外側に流出する液体が環状溝(5)に一旦収納されてから、環状溝(5)の開口から軸線方向の内側に流出する。そのため、ドレンコックを外す指に、その液体が飛び散ることを防止でき、作業者に不快な思いをさせない効果がある。
【０００８】
上記構成において、請求項２に記載の発明のように、ドレンパイプ(2)に雌ネジ(7)が形成され、コック本体(3)の雄ネジ(8)が、環状溝(5)の内部に形成され、両ネジが螺着されたとき、筒状部(6)がドレンパイプ(2)の端部外周を被嵌するように形成した場合には、ドレンパイプ(2)の螺着部を塵埃等から保護することができる。それと共に、コック本体(3)の雄ネジ(8)の存在により、筒状部(6)に流入した液体に抵抗を与えて、その飛散を効果的に防止できる。
【図面の簡単な説明】
【０００９】
【図１】本発明のドレンコック１５であって、そのドレンパイプ２にコック本体３を螺着締結した状態を示す縦断面図。
【図２】同ドレンコック１５の斜視図。
【図３】同ドレンコック１５の作用を示す縦断面図。
【図４】従来のドレンコック１５の作用を示す縦断面図。
【発明を実施するための形態】
【００１０】
次に、図面に基づいて本発明の実施の形態につき説明する。
図１〜図３は本発明のドレンコックであって、従来のドレンコックを示す図４と同一の機能を示す部分については同一の符号を付す。
このドレンコック１５は、主としてラジエータとしても用いる熱交換器のタンクの下端部に設けられるものである。その熱交換器は、チューブとフィンとを交互に積層してコアを形成し、コアの両端にタンクを配置したものである。そしてそのタンクの下端部に図１の如く、ドレンパイプ２とそのドレンパイプ２に取付けられるドレンコック１５とを有する。ドレンパイプ２は、その開口部内面に雌ネジ７が形成されている。このタンク１とドレンパイプ２は、通常樹脂材でタンク１と一体に形成されている。
【００１１】
次に、ドレンコック１５は樹脂の成形体からなり、コック本体３の先端部にＯリング溝１２（図２）が形成され、そこに図１の如くＯリング１３が嵌着される。コック本体３の後端部には、ドレンパイプ２の雌ネジ７に螺着される雄ネジ８が形成され、その雄ネジ８の外周を有底の筒状部６が、環状溝５を介して一体に形成されている。そして筒状部６の後端側には、側面十字状の摘まみ部１０が突設されている。即ち、この例で摘まみ部１０は、外周が十字状に形成されて、摘まみ易くされている。
筒状部６の内側にある環状溝５は、コック本体３の一端部に形成され直径がドレンパイプ２の外直径より大に拡大する同芯の段付き端部４と、その段付き端部４のコック本体３側の端面３ａに凹陥して形成され、その外側直径Ｄ１が図１に示す如く、ドレンパイプ２の端部の外直径に整合し、その環状溝５の内直径Ｄ２はドレンパイプ２の内直径に整合する。そして、その内直径Ｄ２の位置に、コック本体３が延長され、その外周に雄ネジ８が形成されている。
【００１２】
〔作用〕
次に、本発明のドレンコック１５の作用につき説明する。
先ず、ドレンコック１５のコック本体３のＯリング溝１２にはＯリング１３が嵌着される。この状態で、ドレンコック１５の摘まみ部１０を把持して、それをドレンパイプ２に螺着する。このとき、ドレンコック１５の雄ネジ８がドレンパイプ２の雌ネジ７に螺着し、Ｏリング１３がドレンパイプ２の内面に圧着する。そして、ドレンコック１５の筒状部６がドレンパイプ２の端部外周を被嵌する。これにより、ドレンパイプ２の先端部外周が保護される。そして、塵埃がドレンパイプ２の内部に浸入すること防止している。
【００１３】
次いで、摘まみ部１０を把持してそれを螺回すると、ドレンコック１５は図３の如くドレンパイプ２から離脱する。このとき液体９はドレン孔１４から流出すると共に、ドレンパイプ２の先端からも流出する。先端から流出した液体９は、ドレンコック１５の環状溝５に一旦流入し、その後端の底に突き当りＵターンして、筒状部６の開口端より下方に落下する。このとき、筒状部６内の雄ネジ８の存在により、環状溝５内に流入した液体９はその勢いを弱められて下方に落下する。そのため、ドレンコック１５を把持する、作業者の指や手に液体９が飛散することがない。
なお、この実施例ではラジエータのドレンコックについて説明したが、他の熱交換器のドレンコックとしても用いることができる。
【符号の説明】
【００１４】
１  タンク
２  ドレンパイプ
３  コック本体
３ａ 端面
４  段付き端部
５  環状溝
６  筒状部
７  雌ネジ
【００１５】
８  雄ネジ
９  液体
１０  摘まみ部
１１  軸部
１２  Ｏリング溝
１３  Ｏリング
１４  ドレン孔
１５  ドレンコック
【図１】
2016223644.tif 000003
【図２】
2016223644.tif 000004
【図３】
2016223644.tif 000005
【図４】
2016223644.tif 000006